(57)【要約】【課題】ディスポーザの破砕機及び貯留槽夫々へ適切に給水し、しかも作業者の利便性が向上されたディスポーザ及び生ゴミ処理システムを提供する。【解決手段】破砕機１４のモータ１４ｍが作動した場合に、破砕機１４への給水が必要であるため、三方弁１８を破砕機１４側に切り替えて破砕機１４への給水を開始する。モータ１４ｍが停止した場合に、破砕機１４への給水が不要であるため、三方弁１８を貯留槽１１側に切り替えて貯留槽１１への給水を開始し、また、タイマでの計時を開始する。タイマが計時したモータ１４ｍが停止してからの経過時間が所定時間以上となった場合、貯留槽１１への給水が不要であるため、三方弁１８を切り替えて給水を停止する。三方弁１８の切り替えは自動的に実行され、作業者が手動で給水の開始／切替／停止を行なう必要がない。【選択図】図２
2007216124.tif 000002
【特許請求の範囲】
【請求項１】
投入された生ゴミを破砕する破砕機と、
該破砕機が破砕した生ゴミ及び水を貯留する貯留槽と、
前記破砕機及び前記貯留槽夫々へ給水する給水手段と、
前記貯留槽に貯留された生ゴミ及び水を外部へ搬送する搬送手段と
を備えるディスポーザであって、
前記給水手段による前記破砕機及び前記貯留槽夫々への給水の実行及び停止を切り替える切替手段を備え、
該切替手段は、
前記破砕機が作動した場合に前記破砕機への給水を開始し、
前記破砕機が停止した場合に前記貯留槽への給水に切り替えるようにしてあることを特徴とするディスポーザ。
【請求項２】
前記破砕機が停止した場合に前記破砕機の停止からの経過時間を計時するタイマを備え、
前記切替手段は、前記タイマが所定時間を計時した場合に、給水の実行を停止に切り替えるようにしてあることを特徴とする請求項１に記載のディスポーザ。
【請求項３】
前記切替手段は、前記破砕機への給水側が前記破砕機の作動開始／作動停止に連動して開／閉し、前記貯留槽への給水側が前記タイマの計時開始／計時終了に連動して開／閉するようにしてある三方弁を用いてなることを特徴とする請求項２に記載のディスポーザ。
【請求項４】
生ゴミの搬送の禁止指示を受け付ける受付手段と、
該受付手段が前記禁止指示を受け付けた場合に、前記破砕機及び前記搬送手段を停止させ、前記給水手段による給水を停止させる停止手段を備えることを特徴とする請求項１乃至３の何れかひとつに記載のディスポーザ。
【請求項５】
投入された生ゴミを破砕する破砕機と、
該破砕機が破砕した生ゴミ及び水を貯留する貯留槽と、
前記破砕機及び前記貯留槽夫々へ給水する給水手段と、
前記貯留槽に貯留された生ゴミ及び水を外部へ搬送する搬送手段と
を備えるディスポーザであって、
前記破砕機の作動開始／作動停止を外部に報知する報知手段と、
前記破砕機／前記貯留槽への給水指示を受け付ける指示受付手段と、
該指示受付手段が前記破砕機／前記貯留槽への給水指示を受け付けた場合に、前記給水手段による前記破砕機／前記貯留槽への給水の実行を切り替える給水切替手段と
を備えることを特徴とするディスポーザ。
【請求項６】
微生物が混入された水を収容する水槽へ搬送された生ゴミを前記微生物によって分解処理する生ゴミ処理装置と、
請求項１乃至４の何れかひとつに記載のディスポーザと
を備える生ゴミ処理システムであって、
前記ディスポーザは、前記貯留槽に貯留された生ゴミ及び水を前記水槽へ搬送するようにしてあることを特徴とする生ゴミ処理システム。
【請求項７】
微生物が混入された水を収容する水槽へ搬送された生ゴミを前記微生物によって分解処理する生ゴミ処理装置と、
請求項４に記載のディスポーザと
を備える生ゴミ処理システムであって、
前記生ゴミ処理装置は、生ゴミの搬送の禁止指示を前記ディスポーザに与える禁止手段を備え、
前記ディスポーザは、前記貯留槽に貯留された生ゴミ及び水を前記水槽へ搬送するようにしてあることを特徴とする生ゴミ処理システム。
【請求項８】
微生物が混入された水を収容する水槽へ搬送された生ゴミを前記微生物によって分解処理する生ゴミ処理装置と、
請求項５に記載のディスポーザと
を備える生ゴミ処理システムであって、
前記ディスポーザは、前記貯留槽に貯留された生ゴミ及び水を前記水槽へ搬送するようにしてあり、
前記報知手段は、前記破砕機の作動開始／作動停止を前記生ゴミ処理装置に報知するようにしてあり、
前記生ゴミ処理装置は、
前記報知手段から前記破砕機の作動開始を報知された場合に、前記破砕機への給水指示を前記ディスポーザに与える第１給水指示手段と、
前記報知手段から前記破砕機の作動停止を報知された場合に、前記貯留槽への給水指示を前記ディスポーザに与える第２給水指示手段と
を備えることを特徴とする生ゴミ処理システム。
【発明の詳細な説明】
【技術分野】
【０００１】
本発明は、生ゴミを破砕するディスポーザ、及びディスポーザが破砕した生ゴミを微生物によって湿式の生ゴミ処理装置で分解処理する生ゴミ処理システムに関する。
【背景技術】
【０００２】
湿式の生ゴミ処理装置は、水槽の水に微生物を混入させて、生ゴミを水、二酸化炭素等に分解処理するための処理水となし、この処理水の中に生ゴミを投入して水中ポンプで処理水を循環させて攪拌することによって、微生物に生ゴミを分解させる（特許文献１参照）。
【０００３】
生ゴミの分解効率を向上させるために、生ゴミ処理の作業者は、水槽に投入する生ゴミを予め裁断、破砕等しておく必要がある。また、裁断、破砕等された生ゴミを水槽の投入口から投入する必要もある。
【０００４】
生ゴミの裁断、破砕等と水槽への投入とを自動化するために、生ゴミを破砕して水と共に生ゴミ処理装置の水槽へ搬送するディスポーザを用いることが考えられる。
【０００５】
このようなディスポーザは、生ゴミを破砕する破砕機と貯留槽とを備える。破砕機には、生ゴミを破砕する際に水道水が供給され、破砕機が破砕した生ゴミ及び水道水は貯留槽へ流入して貯留される。
貯留槽内部には水中ポンプが設置してあり、貯留槽の水位が所定の第１水位以上の水位である場合に、貯留槽に貯留された生ゴミ及び水道水を吸入して生ゴミ処理装置の水槽へ搬送し、貯留槽の水位が第１水位より低い所定の第２水位以下である場合に、生ゴミ及び水道水の搬送を停止する。
生ゴミ処理装置においては、ディスポーザから水道水と共に水槽へ搬送された生ゴミが、微生物によって分解処理される。
【０００６】
ところで、生ゴミ処理装置側でトラブルが生じ、生ゴミの分解処理が困難又は不可能になった場合、生ゴミ処理装置がディスポーザへ、生ゴミの搬送を禁止する信号を出力し、この信号が入力されたときにディスポーザの水中ポンプが停止して生ゴミ及び水道水を生ゴミ処理装置の水槽へ搬送しないようにする生ゴミ処理システムが考えられる。
【特許文献１】特開２０００−３５４８９８号公報
【発明の開示】
【発明が解決しようとする課題】
【０００７】
ディスポーザへの給水の実行及び停止は、例えば水道の蛇口を開閉することによって、作業者が手動で行なう。
このため、破砕機による生ゴミの破砕の開始と同時的に作業者が破砕機への給水を手動で実行し、生ゴミの破砕終了後に破砕機への給水を手動で停止させる必要がある。
【０００８】
また、水中ポンプの冷却、貯留槽内部の清掃等のために、貯留槽にも水道水を給水するディスポーザが考えられる。この場合、作業者は更に、貯留槽への給水を手動で実行／停止させる必要がある。
【０００９】
更にまた、生ゴミ処理装置側のトラブルが原因で水中ポンプが停止した場合に作業者が水中ポンプの停止に気づかずディスポーザへの給水を続行していると、貯留槽から破砕機への水道水及び生ゴミの逆流、ディスポーザから外部への水道水及び生ゴミの流出等の問題が生じる可能性がある。
【００１０】
本発明は斯かる事情に鑑みてなされたものであり、その主たる目的は、破砕機が作動した場合に破砕機への給水を開始し、破砕機が停止したときに貯留槽への給水に切り替える構成とすることにより、ディスポーザの破砕機及び貯留槽夫々へ適切に給水することができ、しかも作業者の利便性を向上させることができるディスポーザ及び生ゴミ処理システムを提供することにある。
【００１１】
本発明の他の目的は、破砕機の停止から所定時間が経過した場合に、給水の実行を停止する構成とすることにより、ディスポーザへの給水を自動的に停止させることができるディスポーザを提供することにある。
【００１２】
本発明の他の目的は、三方弁を用いて給水の実行／停止を切り替える構成とすることにより、簡易な構成で、給水の実行／停止を自動的に切り替えることができるディスポーザを提供することにある。
【００１３】
本発明の他の目的は、生ゴミ処理装置がディスポーザに与える生ゴミの搬送の禁止指示に従ってディスポーザへの給水を停止する構成とすることにより、生ゴミ処理装置側のトラブルを原因とするディスポーザへの過剰な給水を防止することができるディスポーザ及び生ゴミ処理システムを提供することにある。
【００１４】
本発明の更に他の目的は、生ゴミ処理装置がディスポーザに、破砕機が作動した場合に破砕機への給水を開始させ、破砕機が停止したときに貯留槽への給水に切り替えさせる構成とすることにより、ディスポーザの破砕機及び貯留槽夫々へ適切に給水することができ、しかも作業者の利便性を向上させることができるディスポーザ及び生ゴミ処理システムを提供することにある。
【課題を解決するための手段】
【００１５】
本発明に係るディスポーザは、投入された生ゴミを破砕する破砕機と、該破砕機が破砕した生ゴミ及び水を貯留する貯留槽と、前記破砕機及び前記貯留槽夫々へ給水する給水手段と前記貯留槽に貯留された生ゴミ及び水を外部へ搬送する搬送手段とを備えるディスポーザであって、前記給水手段による前記破砕機及び前記貯留槽夫々への給水の実行及び停止を切り替える切替手段を備え、該切替手段は、前記破砕機が作動した場合に前記破砕機への給水を開始し、前記破砕機が停止した場合に前記貯留槽への給水に切り替えるようにしてあることを特徴とする。
【００１６】
本発明に係るディスポーザは、前記破砕機が停止した場合に前記破砕機の停止からの経過時間を計時するタイマを備え、前記切替手段は、前記タイマが所定時間を計時した場合に、給水の実行を停止に切り替えるようにしてあることを特徴とする。
【００１７】
本発明に係るディスポーザは、前記切替手段は、前記破砕機への給水側が前記破砕機の作動開始／作動停止に連動して開／閉し、前記貯留槽への給水側が前記タイマの計時開始／計時終了に連動して開／閉するようにしてある三方弁を用いてなることを特徴とする。
【００１８】
本発明に係るディスポーザは、生ゴミの搬送の禁止指示を受け付ける受付手段と、該受付手段が前記禁止指示を受け付けた場合に、前記破砕機及び前記搬送手段を停止させ、前記給水手段による給水を停止させる停止手段を備えることを特徴とする。
【００１９】
本発明に係るディスポーザは、投入された生ゴミを破砕する破砕機と、該破砕機が破砕した生ゴミ及び水を貯留する貯留槽と、前記破砕機及び前記貯留槽夫々へ給水する給水手段と前記貯留槽に貯留された生ゴミ及び水を外部へ搬送する搬送手段とを備えるディスポーザであって、前記破砕機の作動開始／作動停止を外部に報知する報知手段と、前記破砕機／前記貯留槽への給水指示を受け付ける指示受付手段と、該指示受付手段が前記破砕機／前記貯留槽への給水指示を受け付けた場合に、前記給水手段による前記破砕機／前記貯留槽への給水の実行を切り替える給水切替手段とを備えることを特徴とする。
【００２０】
本発明に係る生ゴミ処理システムは、微生物が混入された水を収容する水槽へ搬送された生ゴミを前記微生物によって分解処理する生ゴミ処理装置と、本発明の何れかひとつのディスポーザとを備える生ゴミ処理システムであって、前記ディスポーザは、前記貯留槽に貯留された生ゴミ及び水を前記水槽へ搬送するようにしてあることを特徴とする。
【００２１】
本発明に係る生ゴミ処理システムは、微生物が混入された水を収容する水槽へ搬送された生ゴミを前記微生物によって分解処理する生ゴミ処理装置と、本発明のディスポーザとを備える生ゴミ処理システムであって、前記生ゴミ処理装置は、生ゴミの搬送の禁止指示を前記ディスポーザに与える禁止手段を備え、前記ディスポーザは、前記貯留槽に貯留された生ゴミ及び水を前記水槽へ搬送するようにしてあることを特徴とする。
【００２２】
本発明に係る生ゴミ処理システムは、微生物が混入された水を収容する水槽へ搬送された生ゴミを前記微生物によって分解処理する生ゴミ処理装置と、本発明のディスポーザとを備える生ゴミ処理システムであって、前記ディスポーザは、前記貯留槽に貯留された生ゴミ及び水を前記水槽へ搬送するようにしてあり、前記報知手段は、前記破砕機の作動開始／作動停止を前記生ゴミ処理装置に報知するようにしてあり、前記生ゴミ処理装置は、前記報知手段から前記破砕機の作動開始を報知された場合に、前記破砕機への給水指示を前記ディスポーザに与える第１給水指示手段と、前記報知手段から前記破砕機の作動停止を報知された場合に、前記貯留槽への給水指示を前記ディスポーザに与える第２給水指示手段とを備えることを特徴とする。
【００２３】
本発明にあっては、投入された生ゴミを破砕する破砕機と破砕機が破砕した生ゴミ及び水を貯留する貯留槽との夫々へ給水手段が給水し、給水手段による破砕機への給水の実行及び停止と、貯留槽への給水の実行及び停止とを切替手段が切り替える。
切替手段は、破砕機が作動した場合、即ち破砕機へ生ゴミが投入されて、破砕された生ゴミが貯留槽へ流入する場合に、破砕機への給水を開始し、貯留槽への給水は実行しない。
また、切替手段は、破砕機の作動後に破砕機が停止したとき、即ち生ゴミの破砕と貯留槽への流入とが終了したときに、貯留槽への給水を開始し、破砕機への給水を停止する。
【００２４】
貯留槽内の搬送手段は、貯留槽に貯留された生ゴミ及び水を外部へ、具体的には生ゴミ処理装置の水槽へ搬送する。この水槽には、微生物が混入された水（処理水）が収容してあり、水槽へ搬送された生ゴミは微生物によって分解処理される。
【００２５】
本発明にあっては、破砕機の作動後に破砕機が停止した場合、切替手段は貯留槽への給水を開始し、タイマは破砕機の停止からの経過時間を計時する。タイマが所定時間を計時したとき、即ち、例えば貯留槽に貯留されていた生ゴミ及び水の搬送が終了したとき、切替手段は貯留槽への給水を停止する。また、破砕機への給水も行なわない。
【００２６】
本発明にあっては、給水手段による破砕機及び貯留槽夫々への給水の実行及び停止を切り替える切替手段を、三方弁を用いて構成し、三方弁の破砕機への給水側を破砕機の作動開始／作動停止に連動して開／閉させ、三方弁の貯留槽への給水側をタイマの計時開始／計時終了に連動して開／閉させる。
【００２７】
三方弁は、例えば通電されている場合に破砕機／貯留槽への給水側が開状態又は閉状態になって、破砕機（貯留槽）への給水側が開状態である場合に、破砕機（貯留槽）への給水を実行し、閉状態である場合に給水を停止する。
例えば、破砕機への通電開始（作動開始）／通電停止（作動終了）と同時的に三方弁の破砕機への給水側に通電開始／通電停止することによって、三方弁の破砕機への給水側が破砕機の作動開始／作動停止に連動して開／閉する。
同様に、例えば、タイマの計時開始／計時終了と同時的に三方弁の貯留槽への給水側に通電開始／通電停止することによって、三方弁の貯留槽への給水側がタイマの計時開始／計時終了に連動して開／閉する。
【００２８】
本発明にあっては、生ゴミ処理装置が、生ゴミの搬送の禁止指示をディスポーザに与え、生ゴミの搬送の禁止指示を受け付けたディスポーザは、破砕機及び搬送手段が停止するため、貯留槽に貯留されている水及び生ゴミが生ゴミ処理装置の水槽へ搬送されず、しかも破砕機及び貯留槽夫々への給水が停止する。
【００２９】
本発明にあっては、ディスポーザに関し、投入された生ゴミを破砕する破砕機と破砕機が破砕した生ゴミ及び水を貯留する貯留槽との夫々へ給水手段が給水する。
報知手段は破砕機の作動開始／作動停止を生ゴミ処理装置に報知する。
【００３０】
生ゴミ処理装置に関し、破砕機の作動開始を報知された場合に、破砕機への給水指示を第１給水指示手段がディスポーザに与え、破砕機の作動停止を報知された場合に、貯留槽への給水指示を第２給水指示手段がディスポーザに与える。
ディスポーザに関し、破砕機／貯留槽への給水指示を指示受付手段が受け付けた場合に、給水手段による破砕機への給水の実行及び停止と、貯留槽への給水の実行及び停止とを給水切替手段が切り替える。例えば、破砕機（貯留槽）への給水指示を指示受付手段が受け付けた場合に、給水手段による破砕機（貯留槽）への給水を実行し、受け付けていない場合に停止する。
【００３１】
貯留槽内の搬送手段は、貯留槽に貯留された生ゴミ及び水を外部へ、具体的には生ゴミ処理装置の水槽へ搬送する。この水槽には、微生物が混入された水が収容してあり、水槽へ搬送された生ゴミは微生物によって分解処理される。
【発明の効果】
【００３２】
本発明のディスポーザ及び生ゴミ処理システムによる場合、給水手段及び切替手段が、破砕機の作動／停止に応じて、自動的に破砕機への給水を実行／停止し、しかも破砕機の停止に応じて、自動的に貯留槽への給水を実行する。
破砕機の作動中は破砕機への給水が必要であり、貯留槽への給水は必要ではない。また、破砕機の停止後は破砕機への給水は必要ではなく、貯留槽への給水が望ましい。
【００３３】
このため、破砕機及び貯留槽夫々へ給水すべきとき、作業者が手動で給水の実行／停止を切り替えることなく、破砕機及び貯留槽夫々へ適切に給水することができる。この結果、作業者の利便性を向上させることができる。
また、給水が必要でないときに給水しないため、無駄な給水を防止して水のコストを低減することができる。
【００３４】
本発明のディスポーザによる場合、タイマによって、貯留槽への給水、延いてはディスポーザへの給水を自動的に停止させることができる。
破砕機が停止してから所定時間の経過後は、貯留槽（及び破砕機）への給水は不要になる。仮に、貯留槽（及び破砕機）への給水を継続する場合、ディスポーザから生ゴミ処理装置へ水が不要に搬送されてディスポーザの運転コスト及び水のコストが増大し、また、生ゴミ処理装置における生ゴミ処理に支障をきたす（水槽への過剰な給水によって、微生物の濃度が下がる、水槽の水位が過剰に上昇して未処理の生ゴミが排水口を詰まらせる等）可能性がある。
【００３５】
以上のことから、貯留槽への給水を停止すべきとき、作業者が手動で給水を停止させることなく、貯留槽へ適切に給水することができる。この結果、作業者の利便性を向上させることができ、無駄な給水を防止して給水コストを低減することができ、ディスポーザに起因する生ゴミ処理装置側のトラブルを抑制することができる。
【００３６】
本発明のディスポーザによる場合、三方弁を用いて給水の実行／停止を切り替えるため、簡易な構成で、破砕機／貯留槽への給水の実行及び停止を自動的に切り替えることができる。
【００３７】
本発明のディスポーザ及び生ゴミ処理システムによる場合、生ゴミの搬送の禁止指示が与えられた場合に、ディスポーザへの給水が停止するため、生ゴミ処理装置側のトラブルに基づく搬送手段の停止によっても、ディスポーザへの過剰な給水を確実に防止することができる。ここで、破砕機及び搬送手段が停止しているため、破砕機及び貯留槽への給水が停止しても問題はない。
【００３８】
本発明のディスポーザ及び生ゴミ処理システムによる場合、生ゴミ処理装置が、破砕機の作動／停止に応じて、自動的に破砕機への給水を実行／停止させ、しかも破砕機の停止に応じて、自動的に貯留槽への給水を実行させる。
このため、破砕機及び貯留槽夫々へ給水すべきとき、作業者が手動で給水の実行／停止を切り替えることなく、破砕機及び貯留槽夫々へ適切に給水することができる。この結果、作業者の利便性を向上させることができる。
また、給水が必要でないときに給水しないため、無駄な給水を防止して水のコストを低減することができる。
【００３９】
以上のような場合、生ゴミ処理装置側の状況（例えば水槽の水位）に応じてディスポーザへの給水を実行／切替／停止するタイミングを変更することができ、より柔軟に生ゴミ処理システムを運用することができる。
【発明を実施するための最良の形態】
【００４０】
以下、本発明を、その実施の形態を示す図面に基づいて詳述する。
【００４１】
実施の形態  １．
図１は、本発明の実施の形態１に係る生ゴミ処理システム３の構成を示す正面図である。生ゴミ処理システム３は業務用の生ゴミ処理システムであり、夫々地面に設置されたディスポーザ１と、湿式の生ゴミ処理装置２とを備える。
ディスポーザ１は、生ゴミを破砕するための破砕室１４０と、破砕された生ゴミを、生ゴミ処理装置２が備える処理槽２１へ搬送する前に一時的に貯留するための貯留槽１１とを並設し、貯留槽１１及び破砕室１４０の上方に、ディスポーザ１へ、更に詳細には貯留槽１１及び後述する破砕機１４（図２）夫々へ給水する給水手段としての給水部１０を配してなる。
【００４２】
図２及び図３は、ディスポーザ１の構成を示す模式的な透視正面図及び平面図であり、図４は、ディスポーザ１を作動させるための回路配置を示す回路図である。また、図５は、生ゴミ処理装置２の操作盤２２の構成を示すブロック図である。
【００４３】
図２及び図３に示すように、ディスポーザ１の破砕室１４０は、生ゴミを破砕する図示しないカッター部とカッター部を駆動するモータ１４ｍとを備える破砕機１４を内蔵している。生ゴミは、破砕室１４０上部の投入口１４１から破砕機１４内へ、給水部１０から投入口１４１へ供給される水道水と共に投入され、投入された生ゴミは破砕機１４で約５ｍｍ角未満のサイズに破砕される。破砕された生ゴミは、破砕機１４と貯留槽１１とを連結する連結パイプ１４２を介して、水道水と共に貯留槽１１へ流入する。連結パイプ１４２の貯留槽１１側の端部は、貯留槽１１の高さ方向中央部に配されている。
【００４４】
貯留槽１１は、破砕機１４が破砕した生ゴミ及び水道水を貯留する。
また、貯留槽１１に貯留された生ゴミ及び水道水をディスポーザ１外部（具体的には図１に示す生ゴミ処理装置２の処理槽２１）へ搬送する搬送手段として、水中ポンプを用いてなる搬送ポンプ１７が、貯留槽１１底面に立設してある。搬送ポンプ１７の底面には複数本の脚部が設けられ、搬送ポンプ１７底面と貯留槽１１底面とを適長離隔させている。また、搬送ポンプ１７底面には吸入口が開口している。
【００４５】
搬送ポンプ１７は、貯留槽１１の水位が第１所定水位Ｗ1 以上になった場合に作動開始して、貯留槽１１に貯留された水道水及びこの水道水に含まれる生ゴミを吸入口から吸入し、吐出パイプ１７１を介してディスポーザ１外部へ吐出するよう構成されている。また、搬送ポンプ１７は、貯留槽１１の水位が第１所定水位Ｗ1 より低い第２所定水位Ｗ2 以下になった場合に作動停止するよう構成されている。
【００４６】
このような搬送ポンプ１７の作動開始／作動停止は、第１所定水位Ｗ1 及び第２所定水位Ｗ2 夫々に配されたフロートスイッチ１３１，１３２を用いて実行される。
フロートスイッチ１３１（１３２）は、貯留槽１１に収容された水道水の水面に浮遊する浮玉を有し、浮玉の上下方向の位置が第１所定水位Ｗ1 以上（第２所定水位Ｗ2 超過）である場合はオン状態となり、第１所定水位Ｗ1 未満（第２所定水位Ｗ2 以下）である場合はオフ状態となる。
【００４７】
フロートスイッチ１３１，１３２は夫々搬送ポンプ１７に接続されており、貯留槽１１の水位が第１所定水位Ｗ1 未満である場合、フロートスイッチ１３１がオフ状態であって搬送ポンプ１７への通電を遮断し、貯留槽１１の水位が第１所定水位Ｗ1 以上になった場合にオン状態となって搬送ポンプ１７への通電を可能とする。同様に、貯留槽１１の水位が第２所定水位Ｗ2 超過である場合、フロートスイッチ１３２は搬送ポンプ１７への通電を可能とし、貯留槽１１の水位が第２所定水位Ｗ2 以下になった場合に搬送ポンプ１７への通電を遮断する。
【００４８】
第１所定水位Ｗ1 は、連結パイプ１４２の貯留槽１１側の端部の高さよりも適宜の距離だけ低い位置に設定してある。このため、貯留槽１１に貯留されている水道水及び生ゴミが、連結パイプ１４２を介して破砕機１４側へ逆流することが防止される。また、第２所定水位Ｗ2 は、搬送ポンプ１７の吸入口よりも適宜の距離だけ高い位置に設定してある。このため、搬送ポンプ１７の空運転が防止される。
【００４９】
給水部１０は、給水栓１００、水道管１０１，１０２，１０３を用いてなり、水道管１０１と水道管１０２，１０３との間に、水道管１０１及び水道管１０２間、及び水道管１０１及び水道管１０３間を個々に開閉する三方弁１８が配されている。
水道管１０１は、電磁弁１０４及び給水栓１００を介して上水道に連結されている。また、水道管１０２，１０３は、投入口１４１の蓋近傍、及び貯留槽１１の上面に連結してある。
なお、水道管１０２，１０３の破砕機１４側及び貯留槽１１側の端部に多数の小孔を形成して、給水された水道水がシャワー状に放水されるようにしてもよい。
【００５０】
給水栓１００は、例えば蛇口を用いてなり、作業者が開閉するが、通常は開状態にしてある。給水栓１００が閉状態である場合、電磁弁１０４及び三方弁１８の開閉にかかわらず、水道水はディスポーザ１に給水されない。
電磁弁１０４は、電磁弁１０４に対する通電が実行／停止されることによって開状態／閉状態になるよう構成してある。なお、電磁弁１０４の代わりに電動バルブを用いてもよい。
電磁弁１０４が閉状態である場合、給水栓１００及び三方弁１８が開状態であっても、水道水はディスポーザ１に給水されない。
【００５１】
三方弁１８は、三方弁１８の水道管１０２側、即ち破砕機１４側に対応する電磁弁１８ａ（図４）に通電が実行／停止されることによって水道管１０２を介した給水を実行／停止する電磁弁１８ａが開状態／閉状態になるよう構成してある。同様に、三方弁１８は、三方弁１８の水道管１０３側、即ち貯留槽１１側に対応する電磁弁１８ｂ（図４）に通電が実行／停止されることによって水道管１０３を介した給水を実行／停止する電磁弁１８ｂが開状態／閉状態になるよう構成してある。
【００５２】
電磁弁１０４及び給水栓１００の両方が開状態であり、三方弁１８の破砕機１４側が開状態である場合、水道水が水道管１０１、三方弁１８及び水道管１０２をこの順に通過して、投入口１４１から破砕機１４へ給水される。このとき、水道管１０２から給水された水道水は、投入口１４１の内面を全体的に通過するようにして破砕機１４へ移動し、破砕機１４へ給水された水道水は、破砕機１４が破砕した生ゴミと共に、連結パイプ１４２を通過して貯留槽１１へ流入する。
【００５３】
同様に、電磁弁１０４及び給水栓１００の両方が開状態であり、三方弁１８の貯留槽１１側が開状態である場合、水道水が水道管１０１、三方弁１８及び水道管１０３をこの順に通過して、貯留槽１１へ給水される。
水道管１０３の貯留槽１１側の端部は、搬送ポンプ１７に向けて開口している水道管１０３ａと、フロートスイッチ１３１，１３２に向けて開口している水道管１０３ｂとに分岐しており、水道管１０３ａ，１０３ｂから給水された水道水は、搬送ポンプ１７及びフロートスイッチ１３１，１３２に向けて放水されるようにしてある。
【００５４】
ここで、破砕機１４に給水された水道水は、投入口１４１から投入された生ゴミが破砕機１４内部へ円滑に移動し、破砕された生ゴミが連結パイプ１４２を通過して貯留槽１１へ円滑に流入するために利用される。また、水道水は、投入口１４１、破砕機１４及び連結パイプ１４２の清掃に利用される。
貯留槽１１に給水された水道水は、搬送ポンプ１７の冷却、フロートスイッチ１３１，１３２に付着した生ゴミの除去、及び貯留槽１１内部の清掃等に利用される。
【００５５】
つまり、給水部１０からディスポーザ１への給水によって、破砕室１４０及び貯留槽１１に生ゴミ、汚水等が残留することが抑制され、このため、悪臭の発生を抑制し、害虫、雑菌等の繁殖を抑制することができ、衛生的である。また、生ゴミの付着によるフロートスイッチ１３１，１３２の誤作動が防止される。
【００５６】
ただし、破砕機１４への給水は破砕機１４の作動中（更に詳細にはモータ１４ｍの作動中）に実行されれば必要十分であり、貯留槽１１への給水は破砕機１４の停止後から搬送ポンプ１７による生ゴミ及び水道水の搬送終了前後まで実行されれば必要十分である。破砕機１４及び貯留槽１１への不要な給水は、水道代の増大を招く。また、搬送ポンプ１７の不要な作動による生ゴミ処理装置２の処理槽２１への水道水の不要な搬送を招き、電気代の増大、生ゴミ処理装置２側の生ゴミ慮離能力の低下等の要因となる。
【００５７】
また、後述するように生ゴミ処理装置２側から搬送ポンプ１７が作動停止させられた場合、仮に、搬送ポンプ１７の作動停止後も貯留槽１１へ水道水が水道管１０３及び／又は連結パイプ１４２を介して供給されたとき、貯留槽１１への給水が過剰となって、貯留槽１１に貯留されている水道水及び生ゴミが、連結パイプ１４２を介して破砕機１４側へ逆流し、更に投入口１４１からディスポーザ１外部へ流出（オーバーフロー）する可能性がある。
【００５８】
同様に、搬送ポンプ１７の吸入量よりも貯留槽１１への給水量の方が多い場合（例えば給水部１０からの給水量が過剰である場合、又は搬送ポンプ１７の吸入口が生ゴミで半ば詰まって吸入困難となっている場合）も、貯留槽１１への給水が過剰となる。
【００５９】
以下では、ディスポーザ１に対する必要十分な給水を行なうための構成を主に説明する。
【００６０】
三方弁１８及び電磁弁１０４、並びに破砕機１４のモータ１４ｍ及び搬送ポンプ１７は、図４に示すように、ブレーカＢを介して商用電源Ｓに接続されて、商用電源Ｓから給電されるようにしてある。また、この商用電源Ｓには後述する各種のランプ１６１，１６２，１６３及びタイマ１３もブレーカＢを介して接続されており、商用電源Ｓから給電されるようにしてある。
【００６１】
更にディスポーザ１は、図１に示すように、投入口１４１近傍の破砕室１４０正面に操作部１６を備える。操作部１６は、電源ランプ１６１、運転ランプ１６２、及びスタンバイランプ１６３、並びに運転ボタン１６４、停止ボタン１６５及び非常停止ボタン１６６を備える。
【００６２】
また、図４に示すディスポーザ１の運転報知部１２及び運転許可部１５は、夫々リレーを用いてなり、生ゴミ処理装置２の操作盤２２に接続されている。運転報知部１２は、オン状態である場合に、モータ１４ｍが運転中であることを示す運転信号を操作盤２２へ出力し、オフ状態である場合は運転信号を出力しない。一方、運転許可部１５は、後述する許可信号を操作盤２２から入力された場合にオン状態になり、入力されていない場合にオフ状態になる。
【００６３】
非常停止ボタン１６６及び運転許可部１５は、運転ランプ１６２、スタンバイランプ１６３、電磁弁１０４、三方弁１８、タイマ１３、モータ１４ｍ、搬送ポンプ１７並びに運転報知部１２に対して設けてある。運転許可部１５がオン状態であり、しかも非常停止ボタン１６６が操作されていない場合、各部への通電が可能となって、スタンバイランプ１６３は点灯し、運転ランプ１６２は点灯可能となり、電磁弁１０４及び三方弁１８夫々は開放可能となり、タイマ１３、モータ１４ｍ及び搬送ポンプ１７夫々は作動可能となり、運転報知部１２はオン状態可能となる。
【００６４】
非常停止ボタン１６６が操作された場合、又は運転許可部１５がオフ状態である場合、各部への通電が遮断されて、運転ランプ１６２及びスタンバイランプ１６３は消灯し、電磁弁１０４及び三方弁１８夫々は閉鎖され、タイマ１３、モータ１４ｍ及び搬送ポンプ１７夫々は作動停止し、運転報知部１２はオフされる。
【００６５】
つまりスタンバイランプ１６３は、点灯／消灯によって、ディスポーザ１の運転が可能である（許可されている）／不可能である（禁止されている）ことを作業者に報知する。
電源ランプ１６１は商用電源Ｓに対して設けてあり、ディスポーザ１の電源がオン状態／オフ状態である場合に点灯／消灯する。つまり電源ランプ１６１は、ディスポーザ１の電源のオン／オフを作業者に報知する。
【００６６】
運転ボタン１６４及び停止ボタン１６５は、運転ランプ１６２、モータ１４ｍ及び運転報知部１２に対して設けてある。
運転ボタン１６４は破砕機１４を運転させるための操作ボタンであり、スタンバイランプ１６３点灯中に操作された場合にモータ１４ｍが作動開始し、運転ランプ１６２が点灯し、運転報知部１２がオン状態になる。スタンバイランプ１６３消灯中に運転ボタン１６４を操作した場合は破砕機１４は作動停止したままであり、運転ランプ１６２は消灯したままであり、運転報知部１２はオフ状態になったままである。
【００６７】
停止ボタン１６５は破砕機１４を停止させるための操作ボタンであり、運転ランプ１６２点灯中に操作された場合にモータ１４ｍが作動停止し、運転ランプ１６２が消灯し、運転報知部１２がオフ状態になる。
つまり運転ランプ１６２は、点灯／消灯によって、モータ１４ｍ、延いては破砕機１４の運転／停止を作業者に報知する。
【００６８】
運転報知部１２は、三方弁１８の水道管１０２を介した給水を実行／停止する電磁弁１８ａに対して設けてあり、運転報知部１２がオン状態になった場合、即ち破砕機１４のモータ１４ｍが作動開始した場合、電磁弁１８ａを開状態にして破砕機１４への給水を開始させる。逆に、運転報知部１２がオフ状態になった場合、即ち破砕機１４のモータ１４ｍが作動停止した場合、電磁弁１８ａを閉状態にして破砕機１４への給水を停止させる。
【００６９】
運転報知部１２及び運転許可部１５夫々がオン状態である場合に、運転許可部１５がオフ状態になったとき、運転報知部１２もオフ状態になる。しかしながら、運転報知部１２及び運転許可部１５夫々がオフ状態である場合に、運転許可部１５がオン状態になったとき、運転報知部１２はオフ状態のままであり、この状態で運転ボタン１６４が操作されることによって運転報知部１２もオン状態になる。
【００７０】
タイマ１３は、運転ボタン１６４、停止ボタン１６５及び三方弁１８の水道管１０３を介した給水を実行／停止する電磁弁１８ｂに対して設けてある。タイマ１３は、運転ボタン１６４が操作された場合に、タイマ１３自身もオン状態となって、時間カウンタを“１”ずつインクリメントするが、同時的に、計数した時間カウンタを“０”にクリアし続ける。
【００７１】
また、タイマ１３は、停止ボタン１６５が操作された場合に、時間カウンタのインクリメントを続行するが、時間カウンタのクリアは停止し、更に、電磁弁１８ｂへの通電を行なうことによって電磁弁１８ｂを開状態にして貯留槽１１への給水を開始させる。つまり、タイマ１３は、破砕機１４のモータ１４ｍの作動停止に連動して、モータ１４ｍの作動停止時点からの経過時間の計時を開始し、また、貯留槽１１への給水を開始させる。
【００７２】
更にタイマ１３は、計数した時間カウンタが所定の時間カウンタ以上であった場合に、前記経過時間の計時を終了し、更に、電磁弁１８ｂへの通電を止めることによって電磁弁１８ｂを閉状態にして貯留槽１１への給水を停止させる。ここで用いられる所定の時間カウンタは、作業者による生ゴミ投入終了時点、即ちモータ１４ｍの作動停止時点から、貯留槽１１に貯留された生ゴミの処理槽２１への搬送終了時点までに要する経過時間（例えば１５分）より適宜の時間（５分）だけ長い時間（２０分）に対応する。このため、タイマ１３は、貯留槽１１に貯留された生ゴミが処理槽２１へ完全に搬送された後で、電磁弁１８ｂを閉状態にして貯留槽１１への給水を停止させる。
【００７３】
さて、生ゴミ処理装置２の処理槽２１は、微生物が混入された水（処理水）を収容する水槽であり、図１〜図３に示すように、この処理槽２１とディスポーザ１の貯留槽１１とが、搬送パイプ３０を介して連結されている。搬送パイプ３０のディスポーザ１側の端部は、破砕された生ゴミを含む水道水が搬送ポンプ１７側へ逆流することを防止する逆止弁３１を介在して搬送ポンプ１７の吐出パイプ１７１に連結されており、搬送パイプ３０の生ゴミ処理装置２側の端部は処理槽２１の側面上部に連結されている。
【００７４】
また、処理槽２１の上方には、生ゴミ処理装置２を操作するための操作盤２２が設置してある。
図５に示すように、操作盤２２は、バス又は信号線を介して電気的に相互に接続されたＣＰＵ２０、ＲＯＭ２５、ＲＡＭ２６、タイマ２７、操作部２８及びＩ／Ｆ（インタフェース）部２９を備える。また、操作盤２２は、Ｉ／Ｆ部２９を介して生ゴミ処理装置２の機能部（給水用、攪拌用等のポンプ、給水用、給気用等のバルブ等の各部）２３及び水位検出部２４夫々に接続され、更に、Ｉ／Ｆ部２９を介してディスポーザ１の運転報知部１２及び運転許可部１５夫々に接続されている。
【００７５】
水位検出部２４はフロートスイッチを用いてなり、処理槽２１内部に設けられている。水位検出部２４は、処理槽２１の処理水の水面に浮遊する浮玉を有し、浮玉の上下方向の位置が処理槽２１のオーバーフロー水位（例えば処理槽２１の排水口の高さ）を超過している場合に、水位超過信号を操作盤２２へ出力するオーバーフロースイッチである。
【００７６】
操作盤２２のＣＰＵ２０は、ＲＡＭ２６を作業領域として用い、ＲＯＭ２５に記憶された制御プログラム及びデータに従って、生ゴミ処理装置２の機能部２３へ、機能部２３を制御する制御信号を出力する。
また、ＣＰＵ２０は、水位検出部２４から出力された水位超過信号を入力され、運転報知部１２から出力された運転信号を入力される。
【００７７】
ＣＰＵ２０は、タイマ２７が計時した経過時間、作業者による操作部２８を用いた操作入力、水位検出部２４からの水位超過信号の入力等に応じて、機能部２３を制御する制御信号を出力開始／出力停止する。例えばＣＰＵ２０は、運転信号を入力されてから所定時間が経過した場合に、ディスポーザ１から生ゴミが搬送されたと判定して、生ゴミの処理を開始すべく、処理槽２１の処理水を攪拌するポンプを作動させる制御信号を出力する。また、ＣＰＵ２０は、水位超過信号が入力された場合に、処理槽２１に給水するバルブを閉鎖する制御信号を出力して、処理槽２１への過剰な給水を防止する。
【００７８】
さて、ＣＰＵ２０は、水位検出部２４から水位超過信号が入力されていない場合、処理槽２１がオーバーフローしていないため、運転許可部１５に許可信号を出力する。この許可信号の出力（オン状態の許可信号）は、生ゴミ処理装置２の処理槽２１への生ゴミの搬送の許可指示である。
また、ＣＰＵ２０は、水位検出部２４から水位超過信号が入力された場合、運転許可部１５に対する許可信号の出力を停止する。許可信号の出力停止（オフ状態の許可信号）は、生ゴミ処理装置２の処理槽２１への生ゴミの搬送の禁止指示である。
【００７９】
つまり、ディスポーザ１から生ゴミ処理装置２への生ゴミの搬送が許可されている場合は、電磁弁１０４が開放されて破砕機１４及び貯留槽１１への給水が可能となり、破砕機１４による生ゴミの破砕が可能となり、貯留槽１１に貯留された生ゴミ及び水道水の搬送ポンプ１７による処理槽２１への搬送が可能となる。
【００８０】
一方、ディスポーザ１から生ゴミ処理装置２への生ゴミの搬送が禁止されている場合は、電磁弁１０４が閉鎖されて破砕機１４及び貯留槽１１に水道水が給水されず、破砕機１４によって生ゴミが破砕されず、搬送ポンプ１７によって貯留槽１１に貯留された生ゴミ及び水道水が生ゴミ処理装置２の処理槽２１へ搬送されない。
【００８１】
以上のような生ゴミ処理システム３を用いる場合、作業者は、投入口１４１へ生ゴミを投入する場合に、スタンバイランプ１６３の点灯を確認してから運転ボタン１６４を操作して破砕機１４を作動開始させ、また、破砕機１４への給水を開始させる。更に作業者は、生ゴミを投入した後で、停止ボタン１６５を操作して破砕機１４を作動停止させ、また、破砕機１４への給水を終了させ、貯留槽１１への給水を開始させる。
【００８２】
ただし、スタンバイランプ１６３が消灯している場合は、生ゴミ処理装置２の電源がオン状態でない、処理槽２１がオーバーフローしている等のトラブルが生じているため、作業者はトラブルを解消してから生ゴミの処理を実行する。
また、水道管１０３から貯留槽１１への単位時間当たりの給水量は、搬送ポンプ１７の単位時間当たりの吸入量よりも少なくしておく必要がある。
【００８３】
投入口１４１から生ゴミが投入され、水道管１０２から投入口１４１へ水道水が給水されることによって、投入された生ゴミは破砕機１４によって破砕され、破砕された生ゴミと投入口１４１から給水された水道水とが連結パイプ１４２を介して貯留槽１１へ流入し、貯留槽１１の水位が第１所定水位Ｗ1 になるまで貯留槽１１に貯留される。
【００８４】
破砕室１４０から貯留槽１１へ生ゴミ及び水道水が流入することによって、貯留槽１１内の水位が上昇する。そして、貯留槽１１の水位が第１所定水位Ｗ1 以上になった場合、即ち貯留槽１１内に適量の生ゴミ及び水道水が貯留された場合、搬送ポンプ１７が作動開始して、貯留槽１１内の水道水及び生ゴミが搬送ポンプ１７の吸入口から吸入されて、吐出パイプ１７１、逆止弁３１及び搬送パイプ３０を通過して処理槽２１へ連続的に吐出される。
【００８５】
更に、貯留槽１１の水位が第２所定水位Ｗ2 以下になった場合、即ち貯留槽１１内の生ゴミ及び水道水を処理槽２１へ搬送し終えた場合、搬送ポンプ１７が作動停止する。また、所定時間の計時を終えたタイマ１３が三方弁１８を閉鎖することによって、貯留槽１１への給水が停止する。このため、作業者は停止ボタン１６５の操作後、ディスポーザ１を監視している必要がない。
【００８６】
以上のようにしてディスポーザ１は、破砕した生ゴミを生ゴミ処理装置２の処理槽２１へ搬送する。
処理槽２１内では、ディスポーザ１から搬送された生ゴミ及び水道水が処理水と混合され、この処理水中に含まれる微生物によって生ゴミが分解処理される。
【００８７】
生ゴミ処理装置２の処理槽２１でオーバーフローが生じた場合、運転許可部１５によってディスポーザ１が作動を停止し、電磁弁１０４も閉状態になる。このため、搬送ポンプ１７から処理槽２１への生ゴミ及び水道水の搬送が停止して、生ゴミ処理装置２における生ゴミ及び水道水の生ゴミ処理装置２外部への流出が防止される。また、水道管１０２，１０３から貯留槽１１及び破砕機１４への給水も停止し、この結果、搬送ポンプ１７の停止に伴う貯留槽１１への過剰な給水が防止される。
【００８８】
生ゴミ処理装置２によって生ゴミの搬送を禁止されたディスポーザ１は、運転ランプ１６２及びスタンバイランプ１６３を消灯し、自動的に運転を再開することはない。作業者はスタンバイランプ１６３の点灯を視認して生ゴミ処理装置２への生ゴミの搬送が許可されていることを知り、運転ボタン１６４を操作して、運転ランプ１６２を点灯させ、投入口１４１へ生ゴミを投入する。このように、一旦運転を停止したディスポーザ１が勝手に運転を再開しないため、例えば急に作動を開始した破砕機１４によって作業者が傷を負うことが防止され、安全性が向上されている。
【００８９】
以上のようなディスポーザ１において、三方弁１８は、給水部１０による破砕機１４及び貯留槽１１夫々への給水の実行及び停止を切り替える切替手段として機能し、破砕機１４が作動した場合に破砕機１４への給水を開始し、破砕機１４が停止したときに貯留槽１１への給水に切り替えるようにしてある。また、三方弁１８は、破砕機１４が停止した場合に破砕機１４の停止からの経過時間を計時するタイマ１３が所定時間を計時したときに、給水の実行を停止に切り替えるようにしてある。更に三方弁１８は、破砕機１４への給水側が破砕機１４の作動開始／作動停止に連動して開／閉し、貯留槽１１への給水側がタイマ１３の計時開始／計時終了に連動して開／閉するようにしてある。
【００９０】
生ゴミ処理装置２のＣＰＵ２０は、運転許可部１５に対する許可信号の出力実行／出力停止を行なうことによって、ディスポーザ１からの生ゴミの搬送の禁止指示をディスポーザ１に与える禁止手段として機能する。
また、ディスポーザ１の運転許可部１５は、生ゴミの搬送の禁止指示を受け付ける受付手段、及び、受付手段が前記禁止指示を受け付けた場合に、破砕機１４のモータ１４ｍ及び搬送ポンプ１７を停止させ、給水部１０による給水を停止させる停止手段として機能する。
【００９１】
なお、ＣＰＵ２０による運転許可部１５に対する許可信号の出力停止のタイミングは、処理槽２１のオーバーフロー時に限るものではない。
また、ディスポーザ１と生ゴミ処理装置２との運転信号及び許可信号の入出力を行なわず、ディスポーザ１と生ゴミ処理装置２とが個別に作動する構成でもよい。この場合、生ゴミの搬送の禁止指示は、例えば非常停止ボタン１６６を介して作業者がディスポーザ１に与える構成でもよい。
【００９２】
実施の形態  ２．
図６は、本発明の実施の形態２に係る生ゴミ処理システム３が備える生ゴミ処理装置２の操作盤２２の構成を示すブロック図である。
本実施の形態のディスポーザ１は、実施の形態１のディスポーザ１とは異なり、タイマ１３を備えず、三方弁１８に運転報知部１２が接続されていない。また、三方弁１８に対してリレー部１９が設けてある。
【００９３】
リレー部１９は、ＣＰＵ２０から、破砕機１４への給水指示を示す破砕機給水信号を与えられた場合にオン状態になって、三方弁１８の水道管１０２を介した給水を実行／停止する電磁弁１８ａに対する通電を実行し、破砕機給水信号を与えられていない場合、即ち破砕機１４への給水を禁止されている場合にオフ状態になって、電磁弁１８ａに対する通電を停止するよう構成されている。
また、リレー部１９は、ＣＰＵ２０から、貯留槽１１への給水指示を示す貯留槽給水信号を与えられた場合にオン状態になって、三方弁１８の水道管１０３を介した給水を実行／停止する電磁弁１８ｂに対する通電を実行し、貯留槽給水信号を与えられていない場合、即ち貯留槽１１への給水を禁止されている場合にオフ状態になって、電磁弁１８ｂに対する通電を停止するよう構成されている。
【００９４】
ＣＰＵ２０は、破砕機１４が停止した場合に破砕機１４の停止からの経過時間を計時するためにタイマ２７を用い、タイマ２７が所定時間を計時したときに、給水の実行を停止に切り替える。ここで用いられる所定時間は、作業者による生ゴミ投入終了時点、即ちモータ１４ｍの作動停止時点から、貯留槽１１に貯留された生ゴミの処理槽２１への搬送終了時点までに要する経過時間より適宜の時間だけ長い時間（例えば２０分）である。
【００９５】
図７は、ＣＰＵ２０が実行するディスポーザ給水処理の手順を示すフローチャートである。
ＣＰＵ２０は、まず、運転報知部１２から運転信号が入力されたか否かを判定し（Ｓ１１）、入力されていない場合（Ｓ１１でＮＯ）、入力されるまで待機する。
【００９６】
運転信号が入力された場合（Ｓ１１でＹＥＳ）、即ち運転ボタン１６４が操作されて破砕機１４が作動開始した場合、ＣＰＵ２０は、リレー部１９へ破砕機給水信号を出力する（Ｓ１２）。Ｓ１２の処理によって、リレー部１９が三方弁１８の水道管１０２側を開放させ、このため破砕機１４への給水が実行される。
【００９７】
次に、ＣＰＵ２０は、運転報知部１２からの運転信号の入力が停止したか否かを判定し（Ｓ１３）、停止していない場合（Ｓ１３でＮＯ）、リレー部１９への破砕機給水信号の出力を継続する。
運転報知部１２からの運転信号の入力が停止した場合（Ｓ１３でＹＥＳ）、即ち停止ボタン１６５が操作されて破砕機１４が作動停止した場合、ＣＰＵ２０は、破砕機給水信号の出力を停止し（Ｓ１４）、替わりにリレー部１９へ貯留槽給水信号を出力する（Ｓ１５）。Ｓ１４及びＳ１５の処理によって、リレー部１９が三方弁１８の水道管１０２側を閉鎖させ、代わりに水道管１０３側を開放させ、このため破砕機１４への給水が停止され、貯留槽１１への給水が実行される。
【００９８】
更にＣＰＵ２０は、タイマ２７を用いて経過時間、更に詳細には破砕機１４が作動停止してからの経過時間の計時を開始し（Ｓ１６）、所定時間が経過したか否かを判定する（Ｓ１７）。所定時間が経過していない場合（Ｓ１７でＮＯ）、ＣＰＵ２０はリレー部１９への貯留槽給水信号の出力を継続しつつ、タイマ２７での計時を継続する。
所定時間が経過した場合（Ｓ１７でＹＥＳ）、ＣＰＵ２０は貯留槽給水信号の出力を停止し（Ｓ１８）、タイマ２７での計時を終了して（Ｓ１９）、処理をＳ１１へ戻す。Ｓ１８の処理によって、リレー部１９が三方弁１８の水道管１０３側を閉鎖させ、このため貯留槽１１への給水が停止される。
【００９９】
ただし、ＣＰＵ２０は、水位検出部２２からの水位検出信号が入力されていない場合は運転許可部１５へ許可信号を出力し続け、水位検出信号が入力された場合は、図７に示すＳ１１〜Ｓ１９の処理に割り込んで許可信号の出力を停止し、ディスポーザ給水処理を強制終了させる。
【０１００】
その他、実施の形態１に対応する部分には同一符号を付してそれらの説明を省略する。
【０１０１】
以上のようなディスポーザ１においても、作業者は、運転ボタン１６４を操作することによって、破砕機１４を作動開始させ、また、破砕機１４への給水を開始させる。更に作業者は、停止ボタン１６５を操作することによって、破砕機１４を作動停止させ、また、破砕機１４への給水を終了させ、貯留槽１１への給水を開始させる。停止ボタン１６５の操作後、作業者がディスポーザ１を監視していなくても、停止ボタン１６５の操作から所定時間の経過後に貯留槽１１への給水が自動的に停止する。
【０１０２】
つまり、ディスポーザ１の運転報知部１２は、運転信号の出力開始／出力停止によって、破砕機１４の作動開始／作動停止を生ゴミ処理装置２に報知する報知手段として機能する。また、リレー部１９は、破砕機給水信号／貯留槽給水信号が入力されることによって、破砕機１４／貯留槽１１への給水指示を受け付ける指示受付手段として機能する。更に三方弁１８は、指示受付手段が破砕機１４／貯留槽１１への給水指示を受け付けた場合に、給水部１０による破砕機１４／貯留槽１１への給水の実行を切り替える給水切替手段として機能する。
【０１０３】
また、生ゴミ処理装置２のＣＰＵ２０は、報知手段から破砕機１４の作動開始を報知された場合に、破砕機１４への給水指示をディスポーザ１に与える第１給水指示手段、及び、報知手段から破砕機１４の作動停止を報知された場合に、貯留槽１１への給水指示をディスポーザ１に与える第２給水指示手段として機能する。
【０１０４】
なお、本実施の形態１，２においては業務用の生ゴミ処理システム３を例示したが、これに限らず、家庭用の生ゴミ処理システムでもよい。
【図面の簡単な説明】
【０１０５】
【図１】本発明の実施の形態１に係る生ゴミ処理システムの構成を示す正面図である。
【図２】本発明の実施の形態１に係るディスポーザの構成を示す模式的な透視正面図である。
【図３】本発明の実施の形態１に係るディスポーザの構成を示す模式的な透視平面図である。
【図４】本発明の実施の形態１に係るディスポーザを作動させるための回路配置を示す回路図である。
【図５】本発明の実施の形態１に係る生ゴミ処理システムが備える生ゴミ処理装置の操作盤の構成を示すブロック図である。
【図６】本発明の実施の形態２に係る生ゴミ処理システムが備える生ゴミ処理装置の操作盤の構成を示すブロック図である。
【図７】本発明の実施の形態２に係る生ゴミ処理システムが備える生ゴミ処理装置のＣＰＵが実行するディスポーザ給水処理の手順を示すフローチャートである。
【符号の説明】
【０１０６】
１    ディスポーザ
１０  給水部（給水手段）
１１  貯留槽
１２  運転報知部（報知手段）
１３  タイマ
１４  破砕機
１５  運転許可部（受付手段，停止手段）
１７  搬送ポンプ（搬送手段）
１８  三方弁（切替手段，給水切替手段）
１９  リレー部（指示受付手段）
２    生ゴミ処理装置
２０  ＣＰＵ（禁止手段，第１給水指示手段，第２給水指示手段）
２１  処理槽（水槽）
３    生ゴミ処理システム
【図１】
2007216124.tif 000003
【図２】
2007216124.tif 000004
【図３】
2007216124.tif 000005
【図４】
2007216124.tif 000006
【図５】
2007216124.tif 000007
【図６】
2007216124.tif 000008
【図７】
2007216124.tif 000009